(57)【要約】【課題】  Ｎ地点間の同時音声通話を行い、周辺への音漏れを発生することなく複数人の同時音声通話を行うとともに、異なる通信回線との同時音声通話を行うことが可能な多地点方式電話会議用端末を提供する。【解決手段】  音声通信端末１は第１から第ＮまでのＮ本の２Ｗ電話回線を接続可能な接続端子１３−１〜１３−Ｎと、音声信号を分岐・結合する音声分岐・結合器１２とを有する。音声端末２は複数人の同時通話が可能な手段と周辺への音漏れが発生しない手段とを備えたヘッドセット３−１〜３−Ｍを接続可能なＭ個の音声入出力端子２７−１〜２７−Ｍを有する。音声通信端末１は２Ｗ電話回線に加え、第１から第ＮまでのＮ本の４Ｗ回線、ＰＨＳあるいは移動電話端末の接続端子１４−１〜１４−Ｎ，１５−１〜１５−Ｎと、Ｎ本の回線から一通信回線選択可能なＮ個の切替スイッチ１１−１〜１１−Ｎとを有する。【選択図】      図１
2006352916.tif 000002
【特許請求の範囲】
【請求項１】
Ｎ本（Ｎは正の整数）の２線式アナログ回線の接続端子を備えた通話機能を含む音声通信端末を有し、
前記音声通信端末に、音声信号の分岐・結合機能と、Ｎ本の４線式アナログ回線の接続端子と、Ｎ本の簡易型携帯電話及び移動電話回線の一方の接続端子と、各々前記２線式アナログ回線と前記４線式アナログ回線と前記簡易型携帯電話及び移動電話回線の一方とのいずれかの一通信回線に切替えるＮ個の切替スイッチとを備え、
前記音声通信端末と同等の音声信号分岐・結合器と、前記音声信号分岐・結合器に音声信号の外部入出力を可能とする複数個の音声入出力端子とを含む音声端末を前記音声分岐・結合機能に接続する外部信号入出力端子を含み、
前記音声信号の入出力手段として複数人の同時通話を可能としかつ周辺への音漏れ発生を防止するためのヘッドセットを前記複数個の音声入出力端子に接続することを特徴とする多地点方式電話会議用端末。
【請求項２】
前記２線式アナログ回線の接続端子を介してＮ本の２線式アナログ回線を前記音声分岐・結合機能に接続してＮ地点間の音声通話を自在とするようにしたことを特徴とする請求項１記載の多地点方式電話会議用端末。
【請求項３】
前記音声端末は、前記２線式アナログ回線と前記４線式アナログ回線と前記簡易型携帯電話及び移動電話回線の一方とは独立した２線式アナログ回線と、前記４線式アナログ回線と前記簡易型携帯電話及び移動電話回線の一方とにそれぞれ接続する接続端子と、
前記音声通信端末の前記外部信号入出力端子に接続する接続端子と、
それらの接続端子から一接続端子を切替選択する切替スイッチとを含むことを特徴とする請求項１記載の多地点方式電話会議用端末。
【請求項４】
前記音声通信端末は、回線確定時に発呼側からの着信に対して呼出し検出後に自動での通信確定を行うための自動着信と、前記発呼側からの着信に対して受信待ち状態となって信号を受信するまで通信の確定を行わない手動着信とを設定自在とする自動／手動切替スイッチを含むことを特徴とする請求項１から請求項３のいずれか記載の多地点方式電話会議用端末。
【発明の詳細な説明】
【技術分野】
【０００１】
本発明は多地点方式電話会議用端末に関し、特に多地点間において通話機能を有する電話会議用の通信端末に関する。
【背景技術】
【０００２】
従来、一般に周知の技術である２Ｗ電話回線（２線式アナログ回線）を利用した音声通信端末においては、その使い方として音声通話を一対一で行うのが一般的である。
【０００３】
また、上記の音声通信端末では、音声信号の入出力がハンドセットで行われており、複数人での通話が可能な構成を有しておらず、通話者が一人対一人に限定されている。
【０００４】
エコーキャンセラ機能を有するハンズフリーホンに代表されるような複数人での使用が可能な音声通信端末においては、音声信号の入出力手段としてマイクやスピーカを使用するのが一般的である。
【０００５】
一般に周知のＩＳＤＮ回線（総合デジタル通信回線）を利用する多地点通信等においては、映像・音声同時通信の多地点会議端末が既に利用されているが、使用可能な通信回線がＩＳＤＮ回線に限定されている。
【０００６】
多地点間における通話に関する技術としては、以下の特許文献に記載の技術がある。
【特許文献１】特開昭５９−１５８１６６号公報
【特許文献２】特開平０２−１３００６３号公報
【特許文献３】特開平０２−１５３６５７号公報
【特許文献４】特開平０２−１９００６５号公報
【特許文献５】特開平０７−１８４２４３号公報
【特許文献６】特開平０８−２２３３０５号公報
【特許文献７】特開平１０−３３６２９８号公報
【発明の開示】
【発明が解決しようとする課題】
【０００７】
上述した従来の音声通信端末では、音声通話として一対一での使い方が一般的であり、Ｎ地点での音声通話機能を有していない。また、上記の音声通信端末では複数人での通話が可能な構成を有していないので、通話者が一人対一人に限定される。
【０００８】
さらに、複数人で使用可能な音声通信端末では、音声信号の入出力手段としてマイクやスピーカを使用することで複数人の通話を可能としているが、周辺部への音漏れが発生するという課題がある。
【０００９】
さらにまた、ＩＳＤＮ回線を利用する多地点通信等では、異なる通信回線とのインタフェースや接続された異なる通信回線の切替選択を行う切替スイッチの機能がないので、汎用性がないという課題がある。
【００１０】
そこで、本発明の目的は上記の問題点を解消し、Ｎ地点間の同時音声通話を行うことができる多地点方式電話会議用端末を提供することにある。
【００１１】
また、本発明の他の目的は、周辺への音漏れを発生することなく複数人の同時音声通話を行うことができる多地点方式電話会議用端末を提供することにある。
【００１２】
さらに、本発明の別の目的は、異なる通信回線との同時音声通話を行うことができる多地点方式電話会議用端末を提供することにある。
【課題を解決するための手段】
【００１３】
本発明による多地点方式電話会議用端末は、Ｎ本（Ｎは正の整数）の２線式アナログ回線の接続端子を備えた通話機能を含む音声通信端末を備え、
前記音声通信端末に、音声信号の分岐・結合機能と、Ｎ本の４線式アナログ回線の接続端子と、Ｎ本の簡易型携帯電話及び移動電話回線の一方の接続端子と、各々前記２線式アナログ回線と前記４線式アナログ回線と前記簡易型携帯電話及び移動電話回線の一方とのいずれかの一通信回線に切替えるＮ個の切替スイッチとを備え、
前記音声通信端末と同等の音声信号分岐・結合器と、前記音声信号分岐・結合器に音声信号の外部入出力を可能とする複数個の音声入出力端子とを含む音声端末を前記音声分岐・結合機能に接続する外部信号入出力端子を含み、
前記音声信号の入出力手段として複数人の同時通話を可能としかつ周辺への音漏れ発生を防止するためのヘッドセットを前記複数個の音声入出力端子に接続している。
【００１４】
すなわち、本発明の多地点方式電話会議用端末は、多地点間において通話機能を有する通信端末において、２Ｗ電話回線をＮ本（Ｎは正の整数）接続可能な手段と、Ｎ回線の音声信号を分岐・結合するための手段とを有することで、より具体的に、音声通信端末において、第１から第ＮまでのＮ本の２Ｗ電話回線の接続端子と、音声信号を分岐・結合可能な回路とを有することで、Ｎ地点間の同時音声通話が可能となる。
【００１５】
また、本発明の多地点方式電話会議用端末は、音声通信端末に接続する音声端末の音声信号入出力部において、複数人の同時通話が可能な手段と、周辺への音漏れが発生しない手段とを有することで、より具体的に、音声通信端末に接続する音声端末において、複数人の同時通話を可能としかつ周辺への音漏れが発生しないヘッドセットを接続可能なＭ個の音声入出力端子を有することで、複数人の同時音声通話が可能となり、また周辺への音漏れ防止も可能となる。
【００１６】
さらに、本発明の多地点方式電話会議用端末は、音声通信端末において、２Ｗ電話回線に限定された通信ではなく、２Ｗ電話回線以外の通信回線への接続手段と、接続された通信回線の切替選択機能とを備えることで、より具体的に、第１から第ＮまでのＮ本の２Ｗ電話回線に加えて、第１から第ＮまでのＮ本の４Ｗ回線、ＰＨＳあるいは移動電話端末の接続端子と、通信回線から一通信回線を切替選択可能なＮ個の切替スイッチとを有することで、異なる通信回線との同時音声通話が可能となる。
【発明の効果】
【００１７】
本発明の多地点方式電話会議用端末によれば、２線式アナログ回線の接続端子を備えた通話機能を含む音声通信端末を有し、音声通信端末に、音声信号の分岐・結合機能を備えることによって、Ｎ地点間の同時音声通話を行うことができるという効果がある。
【００１８】
また、本発明の多地点方式電話会議用端末によれば、上記の構成のほかに、Ｎ本の４線式アナログ回線の接続端子と、Ｎ本の簡易型携帯電話及び移動電話回線の一方の接続端子と、２線式アナログ回線と４線式アナログ回線と簡易型携帯電話及び移動電話回線の一方とのいずれかの一通信回線に切替える切替スイッチとを備えることによって、周辺への音漏れを発生することなく複数人の同時音声通話を行うことができるという効果がある。
【００１９】
さらに、本発明の多地点方式電話会議用端末によれば、上記の構成のほかに、音声通信端末と同等の音声信号分岐・結合器と音声信号分岐・結合器に音声信号の外部入出力を可能とするＭ個の音声入出力端子とを含む音声端末を音声分岐・結合機能を接続する外部信号入出力端子を備えることによって、異なる通信回線との同時音声通話を行うことができるという効果がある。
【発明を実施するための最良の形態】
【００２０】
次に、本発明の実施の形態について図面を参照して説明する。図１は本発明の実施の形態による多地点方式電話会議用端末の構成を示すブロック図である。図１において、本発明の実施の形態による多地点方式電話会議用端末は音声通信端末１と、音声端末２とからなる。
【００２１】
音声通信端末１は切替スイッチ（ＳＷ）１１−１〜１１−Ｎと、音声分岐・結合器１２と、２Ｗ電話回線（２線式アナログ回線）＃１〜＃Ｎに接続される接続端子１３−１〜１３−Ｎと、４Ｗ回線（４線式アナログ回線）＃１〜＃Ｎに接続される接続端子１４−１〜１４−Ｎと、ＰＨＳ（簡易型携帯電話）・移動電話＃１〜＃Ｎに接続される接続端子１５−１〜１５−Ｎと、外部信号入出力端子１６とから構成されている。
【００２２】
また、音声端末２は切替スイッチ（ＳＷ）２１と、音声分岐・結合器２２と、２Ｗ電話回線に接続される接続端子２３と、４Ｗ回線に接続される接続端子２４と、ＰＨＳ・移動電話に接続される接続端子２５と、外部音声入出力端子２６と、ヘッドセット３−１〜３−Ｍに接続される音声入出力端子２７−１〜２７−Ｍとから構成されている。
【００２３】
上記のように、音声通信端末１において、第１から第ＮまでのＮ本の２Ｗ電話回線の接続端子１３−１〜１３−Ｎと、音声信号を分岐・結合可能な音声分岐・結合器１２とを有することで、Ｎ地点間の同時音声通話を行うことができる。
【００２４】
また、音声通信端末１に接続する音声端末２の音声信号入出力部において、複数人の同時通話を可能としかつ周辺への音漏れ発生を防止するためのヘッドセット３−１〜３−Ｍを接続可能なＭ個の音声入出力端子２７−１〜２７−Ｍを有することで、複数人の同時音声通話を行うことができ、また周辺への音漏れを防止することができる。
【００２５】
さらに、音声通信端末１において、第１から第ＮまでのＮ本の２Ｗ電話回線に加えて、第１から第ＮまでのＮ本の４Ｗ回線、ＰＨＳあるいは移動電話端末の接続端子１４−１〜１４−Ｎ，１５−１〜１５−Ｎと、これらの通信回線から一通信回線を切替選択可能なＮ個の切替スイッチ１１−１〜１１−Ｎとを有することで、異なる通信回線との同時音声通話を行うことができる。
【００２６】
図２は本発明の一実施例による音声通信端末の構成を示すブロック図である。図２において、音声通信端末４はＮ地点の回線接続端子部４４−１〜４４−Ｎを有しており、Ｎ個の回線接続端子部４４−１〜４４−Ｎは２Ｗ電話回線、４Ｗ回線、ＰＨＳあるいは移動電話端末の接続端子をそれぞれ有している。
【００２７】
回線切替部４１−１〜４１−Ｎは回線接続端子部４４−１〜４４−Ｎに接続された２Ｗ電話回線、４Ｗ回線、ＰＨＳあるいは移動電話回線から一通信回線を切替選択する機能を有している。
【００２８】
回線コネクト部４２−１〜４２−Ｎは回線切替部４１−１〜４１−Ｎで切替選択された回線選択信号１０１−１〜１０１−Ｎの着信確定を行う機能を有している。着信確定に関しては着信スイッチ４５−１〜４５−Ｎからの着信確定信号１０２−１〜１０２−Ｎと自動／手動切替スイッチ４６からの自動／手動設定信号１０３とによって行われる。
【００２９】
音声分岐・結合回路４３は回線コネクト部４２−１〜４２−Ｎにおいて着信確定されたＮ本の回線選択信号１０１−１〜１０１−Ｎの分岐・結合を行う機能を有している。音声分岐・結合回路４３にはＮ本の回線選択信号１０１−１〜１０１−Ｎの接続接点のほかに、分岐・結合された音声信号の外部入出力端子として外部信号入出力端子４７の接続接点も有しており、音声信号の入出力手段として音声端末５が接続可能である。
【００３０】
図３は図２の音声端末５の構成を示すブロック図である。図３において、音声端末５は音声通信端末４とは別に２Ｗ電話回線、４Ｗ回線、ＰＨＳあるいは移動電話端末の接続端子を備えた回線接続端子５０と、音声通信端末４の外部信号入出力端子４７との接続端子として外部音声信号端子５１と、各接続端子を切替選択する信号切替部５２と、音声通信端末４が有している音声信号の分岐・結合と同機能の音声分岐・結合回路５３と、音声信号の外部入出力端子としてＭ個の音声入出力端子５４−１〜５４−Ｍとを有し、音声信号の入出力手段としてヘッドセット６−１〜６−Ｍが接続可能である。
【００３１】
これら図２及び図３を参照して本発明の一実施例による音声通信端末４及び音声端末５の動作について説明する。
【００３２】
音声通信端末４において、Ｎ個の回線接続端子部４４−１〜４４−Ｎの接続端子に使用する回線ケーブルを接続する。回線切替部４１−１〜４１−Ｎは回線ケーブルを接続した回線に合わせて設定を行う。
【００３３】
着信時、回線選択信号１０１−１〜１０１−Ｎは回線コネクト部４２−１〜４２−Ｎにおいて通信確定の設定が行われる。ここで、音声通信端末４の回線確定時の機能としては「自動着信」及び「手動着信」の両モードを備えている。
【００３４】
自動着信モードの場合、予め自動／手動切替スイッチ４６にて「自動着信」に設定する。回線コネクト部４２−１〜４２−Ｎでは自動／手動設定信号１０３によって発呼側からの着信に対して呼出し検出後、自動での通信確定を行う。着信スイッチ４５−１〜４５−Ｎについては機能しない状態となり、着信確定信号１０２−１〜１０２−Ｎは受信不能となる。
【００３５】
通話終了後は発呼側が回線接続を切断すれば、音声通信端末４も自動的に回線接続を切断する。自動着信時は、特にオペレータがいなくても、事前に設定された通信回線を使用すれば、接続されている回線のそれぞれの回線番号にダイヤルすることでＮ地点間の通話が可能となる。
【００３６】
手動着信モードの場合、予め自動／手動切替スイッチ４６にて「手動着信」に設定する。回線コネクト部４２−１〜４２−Ｎでは自動／手動設定信号１０３によって発呼側からの着信に対して、着信スイッチ４５−１〜４５−Ｎからの着信確定信号１０２−１〜１０２−Ｎの受信待ち状態となり、信号を受信するまで通信の確定を行わない。
【００３７】
着信確定の際には着信スイッチ４５−１〜４５−Ｎを押して着信確定信号１０２−１〜１０２−Ｎを送出し、回線コネクト部４２−１〜４２−Ｎで受信されて通信が確定される。通話終了後は、着信スイッチ４５−１〜４５−Ｎを押すことで回線切断が可能である。
【００３８】
通信が確定された回線選択信号１０１−１〜１０１−Ｎは音声信号分岐・結合回路４３に入力され、Ｎ地点間からの通信確定されたそれぞれの回線選択信号１０１−１〜１０１−Ｎと分岐・結合され、Ｎ地点間の通話が可能となる。また、音声通信端末４の外部信号入出力端子４７に音声端末５を接続することで、Ｎ＋１地点間通話が可能となる。さらに、音声端末５が有しているＭ個の音声入出力端子５４−１〜５４−Ｍにヘッドセット６−１〜６−Ｍを接続することで、複数人の同時通話が可能となる。
【００３９】
このように、回線接続端子部４４−１〜４４−ＮにＮ個の２Ｗ電話回線の接続端子を備え、Ｎ回線の音声信号を分岐・結合する音声分岐・結合器４３を有することによって、Ｎ地点間の同時音声通話を行うことができる。
【００４０】
また、ヘッドセット６−１〜６−Ｍを接続可能な手段を備えたＭ個の音声入出力端子５４−１〜５４−Ｍを有することによって、複数人の同時音声通話を行うことができ、また周辺への音漏れを防止することができる。
【００４１】
さらに、回線接続端子部４４−１〜４４−Ｎに第１から第ＮまでのＮ本の２Ｗ電話回線、４Ｗ回線、ＰＨＳあるいは移動電話端末の異なる通信回線接続端子を有し、さらに接続通信回線を選択可能なＮ個の回線切替部４１−１〜４１−Ｎを有することによって、異なる通信回線との同時音声通話を行うことができる。
【図面の簡単な説明】
【００４２】
【図１】本発明の実施の形態による多地点方式電話会議用端末の構成を示すブロック図である。
【図２】本発明の一実施例による音声通信端末の構成を示すブロック図である。
【図３】図２の音声端末の構成を示すブロック図である。
【符号の説明】
【００４３】
１，４  音声通信端末
２，５  音声端末
３−１〜３−Ｍ  ヘッドセット
１１−１〜１１−Ｎ，２１  切替スイッチ
１２，２２  音声分岐・結合器
１３−１〜１３−Ｎ，２３  ２Ｗ電話回線に接続される接続端子
１４−１〜１４−Ｎ，２４  ４Ｗ回線に接続される接続端子
１５−１〜１５−Ｎ，２５  ＰＨＳ・移動電話に接続される接続端子
１６，４７  外部信号入出力端子
２６  外部音声入出力端子
２７−１〜２７−Ｍ，
５４−１〜５４−Ｍ  音声入出力端子
４１−１〜４１−Ｎ  回線切替部
４２−１〜４２−Ｎ  回線コネクト部
４３，５３  音声分岐・結合回路
４４−１〜４４−Ｎ  回線接続端子部
４５−１〜４５−Ｎ  着信スイッチ
４６  自動／手動切替スイッチ
５０  回線接続端子
５１  外部音声信号端子
５２  信号切替部
【図１】
2006352916.tif 000003
【図２】
2006352916.tif 000004
【図３】
2006352916.tif 000005